(57)【要約】【課題】  画像濃度のばらつきを軽減することができる画像形成装置の提供。【解決手段】  たとえば帯電ＤＣ出力を検知し、その検知電圧を基準電圧として現像ＤＣ出力、レーザー光量を制御するなど、帯電ＤＣ出力、現像ＤＣ出力、レーザー光量のうち、どれかひとつの出力を基準として他の出力を制御することを特徴とする画像形成装置。【選択図】        図１
2007072093.tif 000002
【特許請求の範囲】
【請求項１】
現像電圧の直流成分を検出する現像直流電圧検出回路を備え、
前記現像直流電圧検出回路の出力を基準電圧として帯電電圧の直流電圧もしくは潜像記録用の光学素子の光量もしくはその両方を制御することを特徴とした画像形成装置。
【請求項２】
帯電電圧の直流成分を検出する帯電直流電圧検出回路を備え、
前記帯電直流電圧検出回路の出力を基準電圧として現像電圧の直流電圧もしくは潜像記録用の光学素子の光量もしくはその両方を制御することを特徴とした画像形成装置。
【請求項３】
潜像記録用の光学素子の光量を検出する光量検出回路を備え、
前記帯電直流電圧検出回路の出力を基準電圧として現像電圧の直流電圧もしくは帯電電圧の直流成分もしくはその両方を制御することを特徴とした画像形成装置。
【発明の詳細な説明】
【技術分野】
【０００１】
本発明は、電子写真プロセスを用いたプリンタや複写機など画像形成装置に関する。
【背景技術】
【０００２】
電子写真プロセスを用いた画像形成装置において、画像の濃度は感光ドラムの帯電電位と、潜像部の潜像電位、トナー現像時の現像電位によってほぼ決定される。
【０００３】
これらは、帯電電圧の直流成分、現像電圧の直流成分、潜像記録用の光学素子の光量に依存する。
【０００４】
画像形成装置の印刷濃度は安定していることが求められるため、上記３出力はそれぞれ所定の値になるよう制御されている。例えば、帯電電圧及び現像電圧を制御して画像濃度を適正に保つ技術については、特許文献１に記載されている。
【０００５】
図３に帯電出力の直流成分と現像出力の直流成分を所定の値に制御する回路を示す。
【０００６】
図３において、１は感光ドラムで矢印の方向に回転する。２は帯電ローラ、３は現像スリーブ、４は転写ローラであり、１の感光ドラムとの間に図示しない記録用紙を通過させ感光ドラム上のトナー像を記録用紙に転写する。５は潜像形成用の光、６は帯電電圧生成回路、７は現像電圧生成回路、８、９はエラーアンプ、１０は帯電出力の基準電圧、１１は現像電圧の基準電圧である。Ｒ１，Ｒ２，Ｒ３，Ｒ４は抵抗である。
【０００７】
帯電の回路について代表して説明すると、６の帯電電圧生成回路の出力は２の帯電ローラに印加されるとともにＲ１，Ｒ２の抵抗で分圧された電圧はローパスフィルタＬＰＦ１をとおりＤＣ電圧分に変換された後エラーアンプ８に入力される。エラーアンプ８の他入力端子には１０の基準電圧が入力されており、また、エラーアンプの出力は６の帯電電圧生成回路に入力される。６の帯電電圧生成回路はエラーアンプ８の出力電圧によってＤＣ電圧を変化させる。したがって、帯電出力のＤＣ電圧は１０の基準電圧に応じた一定の電圧が出力されることとなる。
【０００８】
現像の回路も帯電と同様の動作となる。
【特許文献１】特開平５−２３０１号公報
【発明の開示】
【発明が解決しようとする課題】
【０００９】
しかしながら、上記手法においては基準電圧のばらつきや抵抗値のばらつきなどにより出力のＤＣ電圧がばらつく。また、潜像記録用の光学素子の光量も当然ばらつく。
【００１０】
これらのばらつきがランダムに発生すると印刷濃度がばらつくこととなり不都合である。
【００１１】
本発明は、以上の点に着目して成されたもので、印刷濃度のばらつきを効果的に抑えることができる画像形成装置を提供することを目的とする。
【課題を解決するための手段】
【００１２】
これらの問題を解決するため、本発明においてはこれら３つの出力のうちの１つを他の出力の基準電圧として用いる。
【００１３】
こうすることにより、各出力のばらつきに相関を持たせることができ、それらの出力の相関を一定に保つことにより印刷濃度のばらつきを小さくすることができる。
【００１４】
すなわち、本発明の技術内容は以下の構成を備えることにより前記課題を解決できた。
【００１５】
（１）現像電圧の直流成分を検出する現像直流電圧検出回路を備え、前記現像直流電圧検出回路の出力を基準電圧として帯電電圧の直流電圧もしくは潜像記録用の光学素子の光量もしくはその両方を制御することを特徴とした画像形成装置。
【００１６】
（２）帯電電圧の直流成分を検出する帯電直流電圧検出回路を備え、前記帯電直流電圧検出回路の出力を基準電圧として現像電圧の直流電圧もしくは潜像記録用の光学素子の光量もしくはその両方を制御することを特徴とした画像形成装置。
【００１７】
（３）潜像記録用の光学素子の光量を検出する光量検出回路を備え、前記帯電直流電圧検出回路の出力を基準電圧として現像電圧の直流電圧もしくは帯電電圧の直流成分もしくはその両方を制御することを特徴とした画像形成装置。
【発明の効果】
【００１８】
本発明によれば、画像形成装置の印刷濃度のばらつきを効果的に抑えることができる。
【発明を実施するための最良の形態】
【００１９】
以下本発明を実施するための最良の形態を、実施例により詳しく説明する。
【実施例】
【００２０】
図１に本発明の実施例を示す。
【００２１】
図１において、１から５までは図３と同じである。
【００２２】
１２は帯電出力生成回路であり、出力は２の帯電ローラに印加される。
【００２３】
また、本出力は抵抗Ｒ５，Ｒ６で分圧され、分圧された電位はローパスフィルタＬＰＦ４によりＤＣ電圧分とされエラーアンプ１４に入力される。
【００２４】
１３の現像出力生成回路の出力は３の現像スリーブに印加される。
【００２５】
また、Ｒ７とＲ８の抵抗で分圧されローパスフィルタＬＰＦ３でＤＣ電圧分とされエラーアンプ１４に入力される。
【００２６】
エラーアンプ１４の出力は１３の現像出力生成回路に入力される。
【００２７】
１３の現像出力生成回路の出力電圧はエラーアンプ１４から入力される電位に応じてその出力ＤＣ電圧を変化させる。
【００２８】
したがって、１３の現像出力生成回路の出力ＤＣ電圧はＲ７とＲ８で分圧された電圧のＤＣ電圧が、１２の帯電出力生成回路の出力をＲ５とＲ６で分圧されたＤＣ電位に等しいように制御される。
【００２９】
このことにより、現像出力ＤＣ電圧は帯電出力ＤＣ電圧に応じて変化する。
【００３０】
帯電出力ＤＣ電圧がばらついても、帯電出力ＤＣ電圧と現像出力ＤＣ電圧の関係は一定に保たれるため、印刷濃度のばらつきを小さくすることができる。
【００３１】
［他の実施例］
図２に本発明の他の実施例を示す。
【００３２】
図２において、１から５までは図３と同じである。
【００３３】
また、帯電出力生成回路１２、現像出力生成回路１３、エラーアンプ１４および抵抗Ｒ５、Ｒ６、Ｒ７、Ｒ８は図１と同じである。１５はレーザダイオード、１６はレーザダイオード光量調節回路である。
【００３４】
本実施例は前記実施例に対し、印刷濃度に影響を与えるもうひとつのパラメタである潜像記録用の光学素子の光量、本実施例ではレーザダイオードの光量についても同様の制御を行い印刷濃度のばらつきをさらに抑えることを目的とする。
【００３５】
１２の帯電出力生成回路の出力は２の帯電ローラに印加されるとともに、抵抗Ｒ５、Ｒ６により分圧され、ローパスフィルタＬＰＦ５でＤＣ電圧分とされる。
【００３６】
この電圧はエラーアンプ１４に入力されるとともに、光量調節回路１６に入力される。
【００３７】
１３の現像出力生成回路の出力ＤＣ電圧はＲ７とＲ８で分圧された電圧のＤＣ電圧が、１２の帯電出力生成回路の出力をＲ５とＲ６で分圧されたＤＣ電位に等しいように制御される。
【００３８】
また、１６の光量調節回路はローパスフィルタＬＰＦ５の出力に応じてレーザダイオード１５の光量を変化させる。
【００３９】
すなわち、帯電出力生成回路の出力をＲ５とＲ６で分圧されたＤＣ電位に応じてレーザダイオード１５の光量を適正な値に保つ。
【００４０】
このようにすることにより、現像ＤＣ電圧だけでなく、潜像記録用の光学素子の光量も帯電ＤＣ電圧に応じて適正な値に保つことができ、さらに印刷濃度のばらつきを抑えることができる。
【００４１】
なお、これら実施例は全て帯電出力生成回路の出力ＤＣ電圧を基準に記載しているが、当然現像出力生成回路の出力ＤＣ電圧を基準にして帯電出力生成回路の出力ＤＣ電圧と潜像記録用の光学素子の光量を制御してもよいし、潜像記録用の光学素子の光量を基準にして帯電出力生成回路と現像出力生成回路の出力ＤＣ電圧を制御してもよい。
【図面の簡単な説明】
【００４２】
【図１】本発明の実施例を示すブロック図
【図２】本発明の他の実施例を示すブロック図
【図３】従来の形態のブロック図
【符号の説明】
【００４３】
１            感光ドラム
２            帯電ローラ
３            現像スリーブ
４            転写ローラ
５            潜像形成用の光
６、１２      帯電電圧生成回路
７、１３      現像電圧生成回路
８、９、１４  エラーアンプ
１５          レーザダイオード
１６          光量調節回路
【図１】
2007072093.tif 000003
【図２】
2007072093.tif 000004
【図３】
2007072093.tif 000005